(57)【要約】【課題】スライド部材のスライド移動に応じた多方向へのスイッチ操作を長期にわたって良好な操作感で行うことができる多方向操作スイッチを提供する。【解決手段】ダイヤル部材２１の多方向へのスライド操作に応じて、交差する各方向にそれぞれスライド可能に設置された第１、第２のスライドプレート５，６と、第１、第２のスライドプレート５，６に対して非接触でそれぞれ設置され、第１、第２のスライドプレート５，６の各スライド方向の向きが順方向と逆方向の場合とで異なる波形のＯＮ信号を出力するフォトインタラプタ３ａ，３ｂと、を有し、第１、第２のスライドプレート５，６の各スライド方向の向きに応じてフォトインタラプタ３ａ，３ｂからそれぞれ出力されるＯＮ信号に基づいて、ダイヤル部材２１のスライド操作方向に応じたスイッチ操作が行われる。【選択図】図３
2008305653.tif 000002
【特許請求の範囲】
【請求項１】
多方向へスライド操作可能に設置された操作部材と、
直交するように交差され、前記操作部材の多方向へのスライド操作に応じて、交差する各方向にそれぞれスライド可能に設置された第１、第２のスライド部材と、
前記第１、第２のスライド部材の近傍に非接触でそれぞれ設置され、前記第１、第２のスライド部材の各スライド方向の向きが順方向と逆方向の場合とで異なる波形のＯＮ信号を出力する非接触スイッチ手段と、を有し、
前記第１、第２のスライド部材の各スライド方向の向きに応じて前記非接触スイッチ手段からそれぞれ出力されるＯＮ信号に基づいて、前記操作部材のスライド操作方向に応じたスイッチ操作が行われる、
ことを特徴とする多方向操作スイッチ。
【請求項２】
前記非接触スイッチ手段は、対向配置された発光部と受光部を有するフォトインタラプタであり、また、前記第１、第２のスライド部材には、前記フォトインタラプタの前記発光部と受光部との間に位置するようにして、長手方向に沿った一側側に複数のスリット開口部を有するリブが形成されており、
前記第１、第２のスライド部材を順方向または逆方向にスライドさせたときに、前記フォトインタラプタの前記発光部と受光部との間を、前記複数のスリット開口部を有する前記リブが前記順方向または逆方向に移動することで異なる波形のＯＮ信号が出力される、
ことを特徴とする請求項１に記載の多方向操作スイッチ。
【請求項３】
前記第１、第２のスライド部材を前記操作部材の非スライド操作時に中立位置に復帰させる復帰手段を備えている、
ことを特徴とする請求項１または２に記載の多方向操作スイッチ。
【発明の詳細な説明】
【技術分野】
【０００１】
本発明は、例えば、カーナビゲーション装置などの車両搭載電子機器の画面表示内容のスクロール操作等を行うための入力操作部に用いられる多方向操作スイッチに関する。
【背景技術】
【０００２】
近年、例えば、車両に搭載されるカーナビゲーション装置には、画面表示内容（例えば、地図表示画面）のＸ、Ｙ軸両方へのスクロール操作などを操作性よく行えるように、多方向操作スイッチを備えているものがある（例えば、特許文献１参照）。
【０００３】
前記特許文献１の多方向操作スイッチ（多方向スライドスイッチ）では、直交方向にそれぞれ移動する第１、第２のスライド部材（操作つまみ）が、Ｘ、Ｙ軸方向とそれらの軸に対して斜め方向との８方向へスライド可能に設置され、第１、第２のスライド部材の所定方向へのスライドに応じて、可動接点の先端の接点が固定接点に接触することにより、多方向のスイッチ操作（スイッチオン）を行う。
【特許文献１】特開２００１−３０７５９９号公報
【発明の開示】
【発明が解決しようとする課題】
【０００４】
ところで、前記特許文献１の多方向操作スイッチ（多方向スライドスイッチ）では、スイッチ部材として可動接点と固定接点をそれぞれ所定位置に設置する必要があるので、設置スペースが大きくなってしまう。そこで、本願発明者は、スイッチ部材の設置スペースを小さくするために、スイッチ部材として押圧スイッチを用いた多方向操作スイッチを提案している（未公開の特願２００６−２１６８１５号明細書（段落［００３５］、図１、図５等参照）。
【０００５】
この多方向操作スイッチでは、スライド部材のスライド移動に応じて、スライド部材の押圧傾斜面がプッシュピンを押圧し、更にプッシュピンが押圧スイッチを押圧することにより、多方向のスイッチ操作（スイッチオン）を行う。
【０００６】
ところで、この多方向操作スイッチでは、スライド部材の押圧傾斜面がプッシュピンに摺接しながら押下げることにより、長期の使用等によってプッシュピンと摺接するスライド部材の押圧傾斜面に摩耗が生じると、押圧スイッチに対する押圧荷重が変化し、ダイヤル部材を多方向へスライド操作したときの操作感（操作フィーリング）にばらつきが発生する場合がある。
【０００７】
そこで、本発明は、スライド部材のスライド移動に応じた多方向へのスイッチ操作を長期にわたって良好な操作感で行うことができる多方向操作スイッチを提供することを目的とする。
【課題を解決するための手段】
【０００８】
前記目的を達成するために請求項１に係る本発明の多方向操作スイッチは、多方向へスライド操作可能に設置された操作部材と、直交するように交差され、前記操作部材の多方向へのスライド操作に応じて、交差する各方向にそれぞれスライド可能に設置された第１、第２のスライド部材と、前記第１、第２のスライド部材の近傍に非接触でそれぞれ設置され、前記第１、第２のスライド部材の各スライド方向の向きが順方向と逆方向の場合とで異なる波形のＯＮ信号を出力する非接触スイッチ手段と、を有し、前記第１、第２のスライド部材の各スライド方向の向きに応じて前記非接触スイッチ手段からそれぞれ出力されるＯＮ信号に基づいて、前記操作部材の多方向へのスライド操作に応じたスイッチ操作が行われることを特徴としている。
【０００９】
また、請求項２に係る本発明の多方向操作スイッチは、前記非接触スイッチ手段が、対向配置された発光部と受光部を有するフォトインタラプタであり、また、前記第１、第２のスライド部材には、前記フォトインタラプタの前記発光部と受光部との間に位置するようにして、長手方向に沿った一側側に複数のスリット開口部を有するリブが形成されており、前記第１、第２のスライド部材を順方向または逆方向にスライドさせたときに、前記フォトインタラプタの前記発光部と受光部との間を、前記複数のスリット開口部を有する前記リブが前記順方向または逆方向に移動することで異なる波形のＯＮ信号が出力されることを特徴としている。
【００１０】
また、請求項３に係る本発明の多方向操作スイッチは、前記第１、第２のスライド部材を前記操作部材の非スライド操作時に中立位置に復帰させる復帰手段を備えていることを特徴としている。
【発明の効果】
【００１１】
本発明に係る多方向操作スイッチによれば、直交するように交差された第１、第２のスライド部材の近傍に、該第１、第２のスライド部材の各スライド方向の向きが順方向と逆方向の場合とで異なる波形のＯＮ信号を出力する非接触スイッチ手段を設置し、第１、第２のスライド部材の各スライド方向の向きに応じて非接触スイッチ手段からそれぞれ出力されるＯＮ信号に基づいて、操作部材の多方向へのスライド操作に応じたスイッチ操作が行われるようにしたことにより、第１、第２のスライド部材と非接触スイッチ手段とが接触することがないので、多方向へのスイッチ操作を長期にわたって良好な操作感で行うことができる。
【発明を実施するための最良の形態】
【００１２】
以下、本発明を図示の実施形態に基づいて説明する。図１は、本発明の実施形態に係る多方向操作スイッチの外観を示す斜視図、図２は、同多方向操作スイッチの平面図、図３は、図２のＡ−Ａ線断面図、図４は、同多方向操作スイッチの分解斜視図である。
【００１３】
これらの図に示すように、本実施形態に係る多方向操作スイッチ１は、第１の基板２上に、その中央に形成された孔２ａの周囲に２個の光透過型のフォトインタラプタ３ａ，３ｂ（図４参照）が９０度の角度で配置されている。各フォトインタラプタ３ａ，３ｂは、所定の隙間を設けて対向配置された発光部（ＬＥＤ）と受光部（フォトトランジスタ）を有し、両者の間が遮蔽されていないときはＯＮ信号が出力され、両者の間が遮蔽されるとＯＦＦ信号が出力されるように構成されている。
【００１４】
第１の基板２の上面には、略円筒形状のベース部材４がその中央裏面側に形成された突起部４ａを孔２ａに嵌入することによって固定されている。また、ベース部材４の内側上部には、４つの突起部４ｂ，４ｃ，４ｄ，４ｅ（図４参照）によって十字状のガイド溝部４ｆが形成されている。ガイド溝部４ｆの裏面側空洞部に、前記フォトインタラプタ３ａ，３ｂが設けられている。
【００１５】
ベース部材４のガイド溝部４ｆには、その中央部に逆円錐状のピン受部４ｇと、ピン受部４ｇの外側周囲に前記各フォトインタラプタ３ａ，３ｂの位置に対応してスリット状の開口部４ｈ，４ｉが形成されている。
【００１６】
ガイド溝部４ｆ上には、直交して交差させた状態の第１、第２のスライドプレート５，６がスライド可能に配置されている。第１、第２のスライドプレート５，６の中央には長穴５ａ，６ａがそれぞれ形成されており、また、第１、第２のスライドプレート５，６の一方側の裏面側部にはリブ５ｂ，６ｂがそれぞれ形成されている。リブ５ｂ，６ｂは、前記開口部４ｈ，４ｉを通して各フォトインタラプタ３ａ，３ｂの対向配置された発光部と受光部の間を、第１、第２のスライドプレート５，６のスライド移動に応じて遮蔽可能に設けられている。
【００１７】
図３に示すように、リブ６ｂの長手方向に沿った外側半分（一側側）には、フォトインタラプタ３ｂの位置に合わせてその長手方向に沿って複数（図３では、４つ）のスリット開口部６ｃが形成されている。後述するダイヤル部材２１が多方向へスライド操作されていないとき（第２のスライドプレート６が図３に示す中立位置（初期位置）にあるとき）には、フォトインタラプタ３ｂの発光部と受光部との間に最中央側のスリット開口部６ｃが位置する非遮蔽状態であり、ＯＦＦ信号が出力される。なお、第１のスライドプレート５のリブ５ｂにも同様の複数のスリット開口部（不図示）が形成されており、同様に第１のスライドプレート５が中立位置（初期位置）にあるときには、ＯＦＦ信号が出力される。
【００１８】
第１、第２のスライドプレート５，６の上面側には、中央に開口部７ａを有するプレート部材７と、スライドピン８を内周面に摺動可能に保持した筒状のピン保持部９ａを有するパッド部材９が配置されており、ピン保持部９ａのベース部材４側は、プレート部材７の開口部７ａと第１、第２のスライドプレート５，６の長穴５ａ，６ａに挿通されている。なお、ピン保持部９ａの外径は、プレート部材７の開口部７ａの内径よりも小さく、第１、第２のスライドプレート５，６の長穴５ａ，６ａの短径側の内径と略同じである。
【００１９】
スライドピン８の先端側（ベース部材４側）は、ピン保持部９ａの開口端部から突出し、ピン保持部９ａ内に配置したスプリング１０により、スライドピン８の半球状の先端部８ａがピン受部４ｇに常に当接するように付勢されている。ピン保持部９ａ、スライドピン８、スプリング１０、ピン受部４ｇにより、ダイヤル部材２１と第１、第２のスライドプレート５，６を中立位置（初期位置）に復帰させる復帰手段が構成されている。
【００２０】
パッド部材９の上面側には、中央に開口部１１ａを有するベースカバー１１が所定の隙間を設けて配置され、ベース部材４の外周面に複数形成された係止片４ｊにベースカバー１１の外周面に複数形成された係止孔１１ｂをそれぞれ係止することによって固定されている。これにより、ベースカバー１１とプレート部材７との間に形成される隙間に、パッド部材９が平面方向に摺動可能に配置される。
【００２１】
ベースカバー１１の上面側には、第１のケース部材１２と、第２の基板１３と、第２のケース部材１４が配置されており、第１のケース部材１２、第２の基板１３、第２のケース部材１４は、３個のビス１５によってパッド部材９に固定されている。また、第２の基板１３の裏面側（ベース部材４側）に形成された筒部１３ａが、パッド部材９のピン保持部９ａの外周面に嵌合されており、更に、第２の基板１３の筒部１３ａに、第１のケース部材１２の中央に形成された開口部１２ａが嵌合されている。前記第１の基板２と第２の基板１３は、両端にコネクタを有するケーブル１６により電気的に接続されている。
【００２２】
第２の基板１３上には、押圧スイッチ１７、回転スイッチ１８、および基板回路（不図示）等が配置されている。押圧スイッチ１７には、回転スイッチ１８の内周面に沿って図３の上下方向に移動可能に設置された円筒部材１９の背面側が連結されている。円筒部材１９の前面側（図３の上側）には、押しボタン部材２０が固着されている。回転スイッチ１８の外周面には、円筒状のダイヤル部材２１の裏面側が外嵌されている。ダイヤル部材２１の前面側は、押しボタン部材２０の外周側に位置している。
【００２３】
本実施形態に係る多方向操作スイッチ１は、押しボタン部材２０を押圧すると、円筒部材１９の奥方向への移動により押圧スイッチ１７がＯＮされる。また、ダイヤル部材２１を回転操作すると、ダイヤル部材２１の回転量に応じたスイッチ信号が回転スイッチ１８から出力される。
【００２４】
更に、本実施形態に係る多方向操作スイッチ１は、ダイヤル部材２１が、図２に示すように、上下方向（矢印ａ方向、矢印ｂ方向）、左右方向（矢印ｃ方向、矢印ｄ方向）、及びこれらの方向に対してその中間方向（矢印ｅ方向、矢印ｆ方向、矢印ｇ方向、矢印ｈ方向）の８方向へスライド操作可能である。
【００２５】
即ち、ダイヤル部材２１が、回転スイッチ１８、第２の基板１３、第２のケース部材１４、筒部１３ａ、第１のケース部材１２、パッド部材９、スライドピン８等と一体的にスライド可能に構成されているので、ダイヤル部材２１のスライド操作方向に応じて、ピン保持部９ａ内でスプリング１０により移動可能に付勢されているスライドピン８の先端部８ａがピン受部４ｇの表面を摺動すると共に、各長穴５ａ，６ａに挿通されているピン保持部９ａが移動して、第１、第２のスライドプレート５，６のいずれか一方または両方がガイド溝部４ｆ上でスライド移動することにより、ダイヤル部材２１が８方向へスライド操作される（詳細は後述する）。
【００２６】
また、前記したようにダイヤル部材２１のスライド操作により、第２のスライドプレート６のリブ６ｂがフォトインタラプタ３ｂの発光部と受光部との間を、図３の左方向（図２の矢印ｂ方向）にスライド移動した場合には、リブ６ｂによってフォトインタラプタ３ｂの発光部と受光部との間が遮蔽され、図５（ａ）に示すような波形のＯＮ信号が出力される。
【００２７】
なお、第１のスライドプレート５のリブ５ｂがフォトインタラプタ３ａの発光部と受光部との間を、図２の矢印ｃ方向に移動した場合においても同様に、リブ５ｂによってフォトインタラプタ３ａの発光部と受光部との間が遮蔽され、図５（ａ）に示すような波形のＯＮ信号が出力される
【００２８】
また、前記したようにダイヤル部材２１のスライド操作により、第２のスライドプレート６のリブ６ｂがフォトインタラプタ３ｂの発光部と受光部との間を、図３の右方向（図２の矢印ａ方向）に移動した場合には、リブ６ｂの複数のスリット開口部６ｃによってフォトインタラプタ３ｂの発光部と受光部との間が一定間隔で遮蔽され、図５（ｂ）に示すような矩形波を有するＯＮ信号が出力される。
【００２９】
なお、第１のスライドプレート５のリブ５ｂがフォトインタラプタ３ａの発光部と受光部との間を、図２の矢印ｄ方向に移動した場合においても同様に、リブ５ｂの複数のスリット開口部（不図示）によってフォトインタラプタ３ａの発光部と受光部との間が一定間隔で遮蔽され、図５（ｂ）に示すような波形のＯＮ信号が出力される
【００３０】
次に、前記のように構成された本実施形態に係る多方向操作スイッチ１によるスイッチ操作について説明する。
【００３１】
前記多方向操作スイッチ１を、例えば、車両に搭載されるカーナビゲーション装置の入力操作部に用いた場合、画面に表示された複数のメニューから任意のメニューを選択する場合には、図１に示すように、ダイヤル部材２１を左右のいずれかの方向に回転操作して回転スイッチ１８を回転させる。回転される回転スイッチ１８から出力されるスイッチ信号に応じて画面上のカーソルを移動させて任意のメニューを選択した後に、押しボタン部材２０を押圧操作することにより、円筒部材１９が押し込まれて押圧スイッチ１７がＯＮされることによって、選択したメニューが確定される。なお、このスイッチ動作時は、図３に示すように、スライドピン８の先端部８ａはスプリング１０による付勢力でピン受部４ｇの中心部に位置している。
【００３２】
また、カーナビゲーション装置の地図表示画面をスクロール操作する場合には、図２に示すように、ダイヤル部材２１を上下方向（矢印ａ方向、矢印ｂ方向）、左右方向（矢印ｃ方向、矢印ｄ方向）、これらの方向に対してその中間方向（矢印ｅ方向、矢印ｆ方向、矢印ｇ方向、矢印ｈ方向）の８方向のいずれかの方向にスライド操作させる。ダイヤル部材２１をいずれかの方向へスライドさせることにより、フォトインタラプタ３ａ，３ｂからそれぞれ出力される信号に基づいて、ダイヤル部材２１のスライド操作方向へ地図表示画面がスクロールされる。
【００３３】
以下、前記したダイヤル部材２１を多方向（８方向）へスライド操作する場合の、フォトインタラプタ３ａ，３ｂからのＯＮ／ＯＦＦ信号の出力によるスイッチ操作について説明する。
【００３４】
ダイヤル部材２１をスライド操作していないときは、スプリング１０による付勢力でスライドピン８の先端部８ａがピン受部４ｇの中心部に位置している。これにより、図６（ａ），（ｂ）に示すように、直交して交差させた状態の第１、第２のスライドプレート５，６は、ガイド溝部４ｆ上にて中立位置（初期位置）に静止している。この際、第１、第２のスライドプレート５，６の各リブ５ｂ，６ｂのスリット開口部が、フォトインタラプタ３ａ，３ｂの発光部と受光部との間を遮蔽しない位置にあるので、フォトインタラプタ３ａ，３ｂはＯＦＦ信号を出力する。
【００３５】
そして、ダイヤル部材２１を下方向（図２の矢印ｂ方向）へスライド操作した場合には、スライドピン８の先端部８ａもピン受部４ｇと摺動しながら下方向へ移動する。これにより、図７（ａ），（ｂ）に示すように、ピン保持部９ａの外周面が第２のスライドプレート６の長穴６ａを下方向へ押圧することによって、第２のスライドプレート６のみが下方へスライド移動する。
【００３６】
第２のスライドプレート６の下方向へのスライド移動に伴ってリブ６ｂが、フォトインタラプタ３ｂの発光部と受光部との間を遮蔽することにより、図５（ａ）に示すような波形のＯＮ信号がフォトインタラプタ３ｂから出力される。この際、第１のスライドプレート５は静止状態にあるので、第１のスライドプレート５のリブ５ｂのスリット開口部が、フォトインタラプタ３ａの発光部と受光部との間を遮蔽しない位置にあり、フォトインタラプタ３ａはＯＦＦ信号を出力する。
【００３７】
また、ダイヤル部材２１を上方向（図２の矢印ａ方向）へスライド操作した場合には、スライドピン８の先端部８ａもピン受部４ｇと摺動しながら上方向へ移動する。これにより、図８（ａ），（ｂ）に示すように、ピン保持部９ａの外周面が第２のスライドプレート６の長穴６ａを上方向へ押圧することによって、第２のスライドプレート６のみが上方へスライド移動する。
【００３８】
第２のスライドプレート６の上方向へのスライド移動に伴ってリブ６ｂの複数のスリット開口部６ｃが、フォトインタラプタ３ｂの発光部と受光部との間を一定間隔で遮蔽することにより、図５（ｂ）に示すような矩形波を有するＯＮ信号がフォトインタラプタ３ｂから出力される。この際、第１のスライドプレート５は静止状態にあるので、第１のスライドプレート５のリブ５ｂのスリット開口部が、フォトインタラプタ３ａの発光部と受光部との間を遮蔽しない位置にあり、フォトインタラプタ３ａはＯＦＦ信号を出力する。
【００３９】
また、ダイヤル部材２１を右方向（図２の矢印ｄ方向）へスライド操作した場合には、スライドピン８の先端部８ａもピン受部４ｇと摺動しながら右方向へ移動する。これにより、図９（ａ）に示すように、ピン保持部９ａの外周面が第１のスライドプレート５の長穴５ａを右方向へ押圧することによって、第１のスライドプレート５のみが右方向へスライド移動する。
【００４０】
第１のスライドプレート５の右方向へのスライド移動に伴ってリブ５ｂが、フォトインタラプタ３ａの発光部と受光部との間を遮蔽することにより、図５（ａ）に示すような波形のＯＮ信号がフォトインタラプタ３ａから出力される。この際、第２のスライドプレート６は静止状態にあるので、第２のスライドプレート６のリブ６ｂのスリット開口部が、フォトインタラプタ３ｂの発光部と受光部との間を遮蔽しない位置にあり、フォトインタラプタ３ｂはＯＦＦ信号を出力する。
【００４１】
また、同様にダイヤル部材２１を左方向（図２の矢印ｅ方向）へスライド操作して、第１のスライドプレート５のみを左方向へスライド移動させた場合には、第１のスライドプレート５のリブ５ｂの複数のスリット開口部が、フォトインタラプタ３ａの発光部と受光部との間を一定間隔で遮蔽することにより、図５（ｂ）に示すような矩形波を有するＯＮ信号がフォトインタラプタ３ａから出力される。この際、第２のスライドプレート６は静止状態にあるので、第２のスライドプレート６のリブ６ｂのスリット開口部が、フォトインタラプタ３ｂの発光部と受光部との間を遮蔽しない位置にあり、フォトインタラプタ３ｂはＯＦＦ信号を出力する。
【００４２】
また、ダイヤル部材２１を右斜め下方向（図２の矢印ｇ方向）へスライド操作した場合には、スライドピン８の先端部８ａもピン受部４ｇと摺動しながら右斜め下方向へスライド移動する。これにより、図９（ｂ）に示すように、ピン保持部９ａの外周面が第１、第２のスライドプレート５，６の長穴５ａ，６ａを右斜め下方向へ押圧することによって、第１のスライドプレート５が右方向、第２のスライドプレート６が下方向へそれぞれスライド移動する。
【００４３】
第１のスライドプレート５の右方向へのスライド移動に伴ってリブ５ｂが、フォトインタラプタ３ａの発光部と受光部との間を遮蔽することにより、図５（ａ）に示すような波形のＯＮ信号がフォトインタラプタ３ａから出力される。更に、第２のスライドプレート６の下方向へのスライド移動に伴ってリブ６ｂが、フォトインタラプタ３ｂの発光部と受光部との間を遮蔽することにより、図５（ａ）に示すような波形のＯＮ信号がフォトインタラプタ３ｂから出力される。
【００４４】
そして、前記したダイヤル部材２１を上下方向、左右方向へスライド操作した場合の、フォトインタラプタ３ａ，３ｂからのＯＮ／ＯＦＦ信号の出力（ＯＮ／ＯＦＦスイッチ操作）に基づき、ダイヤル部材２１を右斜め上方向（図２の矢印ｅ方向）へスライド操作した場合には、図５（ａ）に示すような波形のＯＮ信号がフォトインタラプタ３ａから出力され、更に、図５（ｂ）に示すような矩形波を有するＯＮ信号がフォトインタラプタ３ｂから出力される。
【００４５】
また、ダイヤル部材２１を左斜め下方向（図２の矢印ｈ方向）へスライド操作した場合には、図５（ｂ）に示すような矩形波を有するＯＮ信号がフォトインタラプタ３ａから出力され、更に、図５（ａ）に示すようなＯＮ信号がフォトインタラプタ３ｂから出力される。更に、ダイヤル部材２１を左斜め上方向（図２の矢印ｆ方向）へスライド操作した場合には、図５（ｂ）に示すような矩形波を有するＯＮ信号がフォトインタラプタ３ａ，３ｂからそれぞれ出力される。
【００４６】
なお、前記したダイヤル部材２１の８方向（上下方向、左右方向、これらの方向の中間方向（斜め方向））へのスライド操作を解除すると、スプリング１０による付勢力でスライドピン８の先端部８ａが摺動しながらピン受部４ｇの中心部に戻ることにより、ダイヤル部材２１、第１、第２のスライドプレート５，６等は、図６（ａ），（ｂ）に示した中立位置に戻る。
【００４７】
このように、ダイヤル部材２１を８方向（上下方向、左右方向、これらの方向の中間方向（斜め方向））へスライド操作した場合に、フォトインタラプタ３ａ，３ｂからそれぞれ出力される２種類のＯＮ信号（図５（ａ），（ｂ）参照）とＯＦＦ信号の組み合わせにより、ダイヤル部材２１のスライド操作方向に応じたスイッチ操作を行うことができる。
【００４８】
また、第１、第２のスライドプレート５，６のスライド移動時に、第１、第２のスライドプレート５，６とフォトインタラプタ３ａ，３ｂとが接触して摩耗することがないので、多方向へのスイッチ操作を長期にわたって良好な操作感（操作フィーリング）で行うことができる。
【図面の簡単な説明】
【００４９】
【図１】本発明の実施形態に係る多方向操作スイッチの外観を示す斜視図。
【図２】本発明の実施形態に係る多方向操作スイッチの平面図。
【図３】図２のＡ−Ａ線断面図。
【図４】本発明の実施形態に係る多方向操作スイッチの分解斜視図。
【図５】（ａ），（ｂ）は、フォトインタラプタから出力される２種類のＯＮ信号の波形を示す図。
【図６】（ａ）は、ダイヤル部材をスライド操作していないときの２つのスライドプレートの位置を示す平面図、（ｂ）は、このときの多方向操作スイッチの縦断面図。
【図７】（ａ）は、ダイヤル部材を下方向へスライド操作したときの２つのスライドプレートの位置を示す平面図、（ｂ）は、このときの多方向操作スイッチの縦断面図。
【図８】（ａ）は、ダイヤル部材を上方向へスライド操作したときの２つのスライドプレートの位置を示す平面図、（ｂ）は、このときの多方向操作スイッチの縦断面図。
【図９】（ａ）は、ダイヤル部材を右方向へスライド操作したときの２つのスライドプレートの位置を示す平面図、（ｂ）は、ダイヤル部材を右斜め下方向へスライド操作したときの２つのスライドプレートの位置を示す平面図。
【符号の説明】
【００５０】
１        多方向操作スイッチ
３ａ，３ｂ      フォトインタラプタ（非接触スイッチ手段）
４        ベース部材
４ｆ      ガイド溝部
４ｇ      ピン受部
５        第１のスライドプレート（第１のスライド部材）
６        第２のスライドプレート（第２のスライド部材）
５ａ，６ｂ      リブ
６ｃ      スリット開口部
８        スライドピン
９ａ      ピン保持部
１８      回転スイッチ
２０      押しボタン部材
２１      ダイヤル部材（操作部材）
【図１】
2008305653.tif 000003
【図２】
2008305653.tif 000004
【図３】
2008305653.tif 000005
【図４】
2008305653.tif 000006
【図５】
2008305653.tif 000007
【図６】
2008305653.tif 000008
【図７】
2008305653.tif 000009
【図８】
2008305653.tif 000010
【図９】
2008305653.tif 000011